(57)【要約】      （修正有）【課題】ユーザーが希望時刻に目覚めやすくすることのできる血流測定装置を提供する。【解決手段】血流測定装置１０は、血流量取得部１２０、血流量判定部１４０および報知部１６０を備える。血流量取得部は、ユーザーの脳の血流量を取得する。血流量判定部は、血流量が事前に定められた基準を満たすか否かを判定する。報知部は、血流量判定部が基準を満たすと判定した場合に、判定結果に基づく報知信号を出力する。報知信号は、例えば就寝を促す出力を行わせるための信号である。【選択図】図１
2017047099.tif 000002
【特許請求の範囲】
【請求項１】
ユーザーの脳の血流量を取得する取得部と、
当該血流量が事前に定められた基準を満たすか否かを判定する判定部と、
前記判定部が前記基準を満たすと判定した場合に、判定結果に基づく報知信号を出力する報知部と、を備える
血流測定装置。
【請求項２】
請求項１に記載の血流測定装置において、
前記報知信号は、就寝を促す出力を行わせるための信号である、
血流測定装置。
【請求項３】
請求項１または２に記載の血流測定装置において、
香り成分の放出、音の出力、光の出力、吸熱、発熱、および振動の発生のうち少なくともいずれかを行わせるための刺激信号を出力する出力部をさらに備え、
前記取得部は、前記刺激信号が出力されている間に、就寝前の血流量を取得する、
血流測定装置。
【請求項４】
請求項３に記載の血流測定装置において、
前記出力部は、前記刺激信号を出力している間に、画像または映像をさらに出力させるための付加刺激信号を出力する、
血流測定装置。
【請求項５】
請求項３または４に記載の血流測定装置において、
前記出力部は、複数の前記刺激信号を順に出力し、
前記取得部は、前記複数の刺激信号のそれぞれが出力されている間に、血流量を取得する、
血流測定装置。
【請求項６】
請求項５に記載の血流測定装置において、
前記ユーザーの起床を検知する検知部と、
起床予定の時刻を取得する起床予定時刻取得部とをさらに備え、
前記時刻を過ぎても前記ユーザーが起床したことを確認できない場合、前記出力部は、その就寝前に最も大きな血流量が取得された前記刺激信号を出力する、
血流測定装置。
【請求項７】
請求項１〜５のいずれか一項に記載の血流測定装置において、
前記ユーザーの起床を検知する検知部と、
起床予定の時刻条件を取得する時刻条件取得部と、
前記ユーザーが前記時刻条件を満たして起床したか否かを判定する起床判定部と
をさらに備え、
前記起床判定部の判定結果に基づいて、前記基準を補正する、
血流測定装置。
【請求項８】
請求項１〜７のいずれか一項に記載の血流測定装置において、
前記取得部は、前記ユーザーが起床する時の脳の血流量をさらに取得し、
前記ユーザーが起床する時の脳の血流量に基づいて、前記基準を補正する、
血流測定装置。
【請求項９】
ユーザーの脳の血流量を取得する取得工程と、
当該血流量が事前に定められた基準を満たすか否かを判定する判定工程と、
前記判定工程において前記基準を満たすと判定された場合に、判定結果に基づく報知をする報知工程とを含む、
血流測定方法。
【発明の詳細な説明】
【技術分野】
【０００１】
本発明は、血流測定装置および血流測定方法に関する。
【背景技術】
【０００２】
希望の起床時間に、より確実に快適にユーザーを起床させるための様々な機器が開発されている。
【０００３】
たとえば、特許文献１には、ユーザーの体動等を検出することにより、覚醒度が高いときに起床させる目覚まし時計が記載されている。
【先行技術文献】
【特許文献】
【０００４】
【特許文献１】特開２００６−２７１８９４号公報
【発明の概要】
【発明が解決しようとする課題】
【０００５】
しかし、ユーザーは、睡眠のさなかに起こされた場合には、自然に目覚めた場合に比べてすっきりと目覚めることができないことが多い。
【０００６】
本発明が解決しようとする課題としては、ユーザーが希望時刻に目覚めやすくすることが一例として挙げられる。
【課題を解決するための手段】
【０００７】
請求項１に記載の発明は、
ユーザーの脳の血流量を取得する取得部と、
当該血流量が事前に定められた基準を満たすか否かを判定する判定部と、
前記判定部が前記基準を満たすと判定した場合に、判定結果に基づく報知信号を出力する報知部と、を備える
血流測定装置である。
【０００８】
請求項９に記載の発明は、
ユーザーの脳の血流量を取得する取得工程と、
当該血流量が事前に定められた基準を満たすか否かを判定する判定工程と、
前記血流量判定工程において前記基準を満たすと判定された場合に、判定結果に基づく報知をする報知工程とを含む、
血流測定方法である。
【図面の簡単な説明】
【０００９】
【図１】実施形態に係る血流測定装置の機能構成を示すブロック図である。
【図２】血流量取得部の構成例を示す図である。
【図３】実施形態に係る血流測定装置の動作を示すフローチャートである。
【図４】実施例１に係る血流測定装置の機能構成を示すブロック図である。
【図５】実施例１に係る血流測定装置の動作を示すフローチャートである。
【図６】実施例２に係る血流測定装置の機能構成を示すブロック図である。
【図７】実施例２に係る血流測定装置の動作を示すフローチャートである。
【図８】実施例３に係る血流測定装置の機能構成を示すブロック図である。
【図９】実施例３に係る血流測定装置の動作を示すフローチャートである。
【図１０】実施例４に係る血流測定装置の使用方法を、その使用環境とともに示す図である。
【図１１】実施例４において、血流測定装置が表示する画面の一例を示す図である。
【図１２】実施例５に係る血流測定装置の構成を示す図である。
【図１３】実施例５における本体端末を示す図である。
【図１４】実施例５におけるセンサ端末を示す図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
以下に示す説明において、血流測定装置１０の各構成要素は、ハードウエア単位の構成ではなく、機能単位のブロックを示している。血流測定装置１０の各構成要素は、任意のコンピュータのＣＰＵ、メモリ、メモリにロードされたプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１２】
図１は、実施形態に係る血流測定装置１０の機能構成を示すブロック図である。実施形態に係る血流測定装置１０は、血流量取得部１２０、血流量判定部１４０および報知部１６０を備える。血流量取得部１２０は、ユーザーの脳の単位時間あたりの血流量を取得する。血流量判定部１４０は、血流量が事前に定められた基準を満たすか否かを判定する。報知部１６０は、血流量判定部１４０が基準を満たすと判定した場合に、判定結果に基づく報知信号を出力する。以下に詳細を説明する。
【００１３】
多くの目覚まし時計等を使用しなければ起きられない人がいる一方、目覚まし時計を使わなくても起きようとする時間に起きられる人がいる。また、普段は中々予定時刻に起床できないにも関わらず、楽しみなイベントがある日には自然と目が覚めるような場合もある。
【００１４】
これらの違いの理由の１つには、就寝前の意識付けの有無があると考えられる。実際に、起床予定時刻を意識して就寝した場合、その時刻の１時間以上前に、覚醒効果を有する副腎皮質刺激ホルモン（ＡＣＴＨ）の増大があったとする報告がある。また、自己覚醒する場合には、覚醒の３０分ほど前から脳の血流量が増加するとの報告もある。したがって、起床予定について十分な意識付けを行って就寝することにより、体内のタイマー機能が発揮され、予定時刻に自然に目覚めることが可能になると考えられる。
【００１５】
しかし、単に起床時間を意識して眠ることを心がけたとしても、自然覚醒のために十分な意識付けができたかどうかは不明である。そこで、十分な意識付けができたことを確かめる手段を提供することにより、ユーザーが自己に備わる起床タイマーを活用し、希望時刻に自然に目覚めることを可能とする。
【００１６】
ここで、血流測定装置１０では、十分な意識付けがされたか否かを、脳の血流量に基づいて判定し、ユーザーに知らせる。意識付けの際には脳の活動が必要であり、脳の血流量の増加が伴うからである。
【００１７】
血流量取得部１２０は、たとえばセンサと演算処理装置で構成される。血流量取得部１２０のセンサは例えば、粘着シート等でユーザーの額に貼り付けられてもよいし、バンド等でユーザーの頭部に固定されても良い。または、センサは枕に内蔵させても良い。血流量取得部１２０のセンサは例えば発光部と受光部とを備え、血管中の赤血球による散乱光を検出する。後に詳しく説明する。
【００１８】
なお、血流量は、前頭葉の近傍、中でも右前頭葉の近傍で測定することが好ましい。そうすることにより、感情、意欲、思考、運動機能に関する脳の活動をよく検知することができる。また、脳の血流量は、上記のように頭部の表面付近の血流量を測定して取得する代わりに、脳以外の部分の血流量や、脈拍を測定することにより間接的に取得してもよい。具体的にはたとえば、測定した脈拍、および、あらかじめ記憶された脈拍と脳の血流量との関係を示す情報に基づいて脳の血流量を取得しても良い。
【００１９】
血流量判定部１４０は、血流量取得部１２０で取得された脳の血流量が事前に定められた基準を満たすか否か、判定する。血流量判定部１４０は、たとえば、血流測定装置１０が備える記憶部１３０に保持された血流量の基準を、読み出して取得することができる。血流量の基準は、初期状態で例えば事前に複数人に対して行った評価の結果に基づいて定めることができ、その後は、ユーザーが繰り返し使用する中でたとえば自ら調整することができる。なお、血流量の基準は、血流量の絶対値であっても良いし、測定中の血流量の変化量であっても良い。また、血流量が特定値を超えた状態が一定時間継続したことをもって、基準を満たしたと判定するようにしても良い。また、血流量の変化が起きた脳の部位や、時間に対する血流量変化の波形といった情報に基づき、基準を満たすか否かの判定を行っても良い。
【００２０】
報知部１６０は、血流量判定部１４０が脳の血流量が事前に定められた基準を満たすと判定した場合に、報知信号を出力する。本実施形態において、報知信号は、就寝を促す出力を行わせるための信号である。血流測定装置１０は、報知出力部１８０をさらに備え、報知出力部１８０は報知部１６０から報知信号を取得したときに、就寝を促す出力を行う。報知出力部１８０はたとえば血流測定装置１０に設けられたディスプレイ、スピーカー、アクチュエータであり、報知信号に基づいて、文字、画像、映像、音声、振動、光、またはこれらの組み合わせを出力する。具体的にはたとえば「体内タイマーがセットされました」や、「就寝して下さい」等の文字の表示を行う。もしくは、電子音での報知、または音声での案内を行ってもよい。この報知により、ユーザーは、自分が就寝に適した状態であることを知ることができる。
【００２１】
血流測定装置１０は、たとえばセンサ端末と、本体端末とが有線または無線で接続されて構成される。センサ端末は、血流量取得部１２０のうち少なくともセンサ部分を含み、本体端末は、血流量取得部１２０の残りの部分、血流量判定部１４０、報知部１６０、および報知出力部１８０を含む。本体端末はたとえばスマートフォン等の携帯端末であり得るほか、据え置き型の装置であっても良い。また、血流量取得部１２０、血流量判定部１４０、報知部１６０および報知出力部１８０は、一体化された端末で構成されても良い。その場合、血流量を取得する際に、端末を頭部に押し当てて用いることができる。
【００２２】
図２は、血流量取得部１２０の構成例を示す図である。本図中、光の光路を破線の矢印で示している。本例において、血流量取得部１２０は、発光部１２２、受光部１２４、発光制御部１２６、および算出部１２８を備える。発光部１２２はたとえばＬＥＤ、レーザー発光素子または有機発光素子である。発光部１２２はたとえば赤外光または近赤外光を発する。受光部１２４はたとえばフォトダイオードである。血流量を取得すべきときに発光部１２２が発光するように、発光タイミングは発光制御部１２６により制御される。算出部１２８は、受光部１２４が受光した光の情報に基づいて、血流量を算出する。算出部１２８は、上記センサ端末の演算処理装置と本体端末の演算処理装置とを組み合わせて構成されうる。
【００２３】
発光部１２２により発せられ、ユーザーの頭部の皮膚に照射された光は、表皮３２および、表皮３２の下にある血管３０の内部を血流により移動する赤血球によって散乱される。そして、その散乱された光が受光部１２４で受光される。算出部１２８は、受光部１２４で検出した光の周波数スペクトルを分析する。赤血球で散乱された光は、ドップラー現象により赤血球の移動速度に比例した周波数シフトを生じるため、算出部１２８は、周波数スペクトルの分析結果に基づいて血流量を算出することができる。具体的には、血流量は赤血球数と血流速度の積から求められる。ここで、血流速度は、周波数シフトの大きさ、即ち表皮３２で散乱された光の周波数ω０と赤血球で散乱された光の周波数ωとの差Δωに比例し、赤血球数は、周波数シフトした光の割合に比例する。各比例係数は、記憶部１３０に保持しておくことができる。
【００２４】
図３は、実施形態に係る血流測定装置１０の動作を示すフローチャートである。本実施形態に係る血流測定装置１０は、以下の血流測定方法を用いる。当該血流測定方法は、血流量取得工程Ｓ１２、血流量判定工程Ｓ１４、および報知工程Ｓ１６を含む。血流量取得工程Ｓ１２では、ユーザーの脳の血流量が取得される。血流量判定工程Ｓ１４では、血流量が事前に定められた基準を満たすか否か、判定される。報知工程Ｓ１６では、血流量判定工程Ｓ１４において基準を満たすと判定された場合に、判定結果に基づく報知がされる。以下に詳細を説明する。
【００２５】
ユーザーは就寝に先立ち、たとえば起床時刻を強く念じる。その間にユーザーの脳の血流量を血流量取得部１２０が取得する（血流量取得工程Ｓ１２）。次いで、血流量判定部１４０は、血流量取得部１２０が取得した血流量があらかじめ定められた基準を満たすか否か判定する（血流量判定工程Ｓ１４）。基準を満たさない場合には、再度、血流量取得工程Ｓ１２および血流量判定工程Ｓ１４を行う。一方、基準を満たした場合には、ユーザーに、たとえば就寝を促す報知をする（報知工程Ｓ１６）。そのことにより、ユーザーは起床時刻についての十分な意識付けができたことを知ることができる。血流測定装置１０にはたとえば就寝を促すメッセージが表示され、ユーザーはそれを確認して就寝する。そして、アラーム等の強制的な目覚ましが無くとも、ユーザーは意識付けした時刻に自然覚醒ができる。報知を確認した後には、就寝にあって、血流量を取得するためのセンサ端末は装着しておく必要は無いため、ユーザーは煩わしさ無く睡眠を取ることができる。また、予定の時刻に起床できなかった場合には、ユーザーは意識付けが十分でなかったと判断し、脳の血流量の基準を上げる等、調整することができる。
【００２６】
以上、本実施形態によれば、血流量取得部１２０は、ユーザーの脳の血流量を取得する。血流量判定部１４０は、血流量が事前に定められた基準を満たすか否かを判定する。そして、報知部１６０は、血流量判定部１４０が基準を満たすと判定した場合に、判定結果に基づく報知信号を出力する。従って、血流測定装置１０のユーザーは希望時刻に目覚めることができる。
【００２７】
（実施例１）
図４は、実施例１に係る血流測定装置１０の機能構成を示すブロック図である。本実施例において、血流測定装置１０は、検知部２４０、時刻条件取得部２６０および起床判定部３２０をさらに備える。検知部２４０は、ユーザーの起床を検知する。時刻条件取得部２６０は、起床予定の時刻条件を取得する。起床判定部３２０は、ユーザーが時刻条件を満たして起床したか否かを判定する。起床判定部３２０の判定結果に基づいて、基準が補正される。
【００２８】
図５は、本実施例に係る血流測定装置１０の動作を示すフローチャートである。本図において、血流量取得工程Ｓ１２から報知工程Ｓ１６までは実施形態と同様である。
【００２９】
検知部２４０は、たとえば、上記した本体装置に内蔵された加速度センサであり、ユーザーが起床して、本体装置を移動させた場合に、ユーザーが起床したと検知する。もしくは、検知部２４０は、ユーザーが就寝する布団やベッドに設けられたセンサーマットやユーザーの体に装着されたセンサであってもよい。その場合、ユーザーが起床して寝床を離れたことを圧力の変化により検知することができる。また、検知部２４０は、ユーザーが行った起床した旨の入力に基づき、ユーザーの起床を検知してもよい。また、血流測定装置１０は、ユーザーの脳波を測定する脳波測定部をさらに備え、検知部２４０は、測定された脳波に基づいてユーザーが起床したことを検知するようにしてもよい。
【００３０】
検知部２４０は、ユーザーの就寝後、起床したか否かをモニタし、ユーザーが起床したと検知した場合、その旨を示す情報を出力し（ステップＳ２０のＹｅｓ）、検知しなかった場合モニタを続ける（ステップＳ２０のＮｏ）。なお、検知部２４０は、就寝してから一定時間はモニタを行わず、起床予定時刻が近づいた場合（たとえば起床予定時刻の１時間前）にモニタを開始するようにしても良い。そうすることにより、ユーザーが起床予定の時刻よりも大幅に早く、夜中に目が覚めた場合など、本来の起床とは異なる場合を起床として検出することを避けることができる。
【００３１】
時刻条件取得部２６０はたとえば、就寝前のユーザーが入力した起床時刻に関する条件を、起床予定の時刻条件として取得することができる。もしくは、時刻条件取得部２６０はたとえば、ユーザーが入力した起床予定時刻に対し、前後１５分以内とする条件を、時刻条件として取得することができる。なお、ユーザーは毎日時刻条件を入力することもできるし、一度入力した時刻条件を繰り返し用いることもできる。
【００３２】
起床判定部３２０は、時刻条件取得部２６０から取得した起床予定の時刻の情報、および、検知部２４０から取得したユーザーが起床したか否かの情報に基づき、ユーザーが時刻条件を満たして起床したか否かを判定する（ステップＳ２２）。
【００３３】
たとえば、起床判定部３２０で、ユーザーが時刻条件を満たして起床したと判定された場合、血流量判定部１４０で用いられる基準は変更されず、次回の就寝時においても同じ基準で血流量の判定が行われる（ステップＳ２２のＹｅｓ）。一方、起床判定部３２０で、ユーザーが時刻条件を満たして起床しなかったと判定された場合（ステップＳ２２のＮｏ）、基準が補正され（ステップＳ２４）、次回の就寝時には、補正された基準で血流量の判定が行われる。たとえば、ユーザーが時刻条件に定められた時刻の範囲より後に起床した場合、血流測定装置１０に備えられた制御部３４０は血流量の基準を特定量大きくするように補正する。一方、ユーザーが時刻条件に定められた時刻の範囲より前に起床した場合、制御部３４０は基準を特定量小さくするように補正する。補正された基準は記憶部１３０に保持される。
【００３４】
なお、特定の基準で数日間連続して予定時刻に起床できた場合、基準を下げるよう補正されても良い。基準を下げることにより、就寝前に必要最小限の意識付けを行えば良いため、よりスムーズに就寝することができる。
【００３５】
以上、本実施例によれば、起床判定部３２０は、ユーザーが時刻条件を満たして起床したか否かを判定し、その判定結果に基づいて基準が補正される。これにより、ユーザーは過去の実績に基づいて、起床に十分な意識付けができたことをより正確に知ることができ、希望時刻により確実に目覚めることができる。
【００３６】
（実施例２）
図６は、実施例２に係る血流測定装置１０の機能構成を示すブロック図である。本実施例に係る血流測定装置１０において、血流量取得部１２０は、ユーザーが起床した時の脳の血流量をさらに取得する。そして、ユーザーが起床した時の脳の血流量に基づいて、基準が補正される。
【００３７】
図７は、本実施例に係る血流測定装置１０の動作を示すフローチャートである。本図において、血流量取得工程Ｓ１２から報知工程Ｓ１６までは実施形態と同様である。
【００３８】
本実施例に係る血流測定装置１０は、検知部２４０を備える。検知部２４０の構成は実施例１と同様である。
【００３９】
本実施例に係る血流測定装置１０では、たとえば、ユーザーはセンサ端末を装着したまま就寝し、就寝中の脳の血流量を測定可能な状態としておく。血流量取得部１２０はユーザーの就寝中の血流量を繰り返し、例えば１分毎に、取得する（ステップＳ３０）。なお、血流量取得部１２０は就寝してから一定時間は血流量の取得を行わず、起床予定時間が近づいた場合に取得を開始するようにしても良い。
【００４０】
検知部２４０は、実施例１と同様にしてユーザーが起床したか否かをモニタする（ステップＳ３２）。血流測定装置１０に備えられた制御部３４０は、ユーザーが起床した旨の情報を検知部２４０から取得した場合（ステップＳ３２のＹｅｓ）、その起床するときの血流量に基づき、基準を補正する（ステップＳ３４）。補正された基準は記憶部１３０に保持される。一方、検知部２４０がユーザーの起床を検知しなかった場合、血流量取得部１２０が血流量の取得を続ける（ステップＳ３２のＮｏ）。
【００４１】
補正後の基準は、たとえば、起床する時の脳の血流量に特定の値を乗じた値等とすることができる。ここで、起床する時の脳の血流量とは、たとえば、起床に先立つ一定時間の血流量の平均であっても良いし、起床の一定時間前の血流量であっても良い。
【００４２】
なお、ユーザーがセンサ端末を装着せずに就寝し、起床後にセンサ端末を装着するなどして取得した血流量に基づき、基準を補正しても良い。その場合、検知部２４０を省略することができる。また、ユーザーは煩わしさ無く睡眠を取ることができる。
【００４３】
以上、本実施例によれば、ユーザーが起床する時の脳の血流量に基づいて、基準が補正される。これにより、ユーザーは起床に十分な意識付けができたことをより正確に知ることができ、希望時刻により確実に目覚めることができる。
【００４４】
（実施例３）
図８は、実施例３に係る血流測定装置１０の機能構成を示すブロック図である。本実施例において、血流測定装置１０は、刺激信号出力部２２０をさらに備える。刺激信号出力部２２０は、香り成分の放出、音の出力、光の出力、吸熱、発熱、および振動の発生のうち少なくともいずれかを行わせるための刺激信号を出力する。そして、血流量取得部１２０は、刺激信号が出力されている間に、就寝前の血流量を取得する。
【００４５】
本実施例において、刺激信号出力部２２０は、上記した通り、香り成分の放出、音の出力、光の出力、吸熱、発熱、および振動の発生のうち少なくともいずれかの刺激を行わせるための刺激信号を出力する。刺激信号には、出力すべき１種、または２種以上の刺激に関する情報が含まれる。
【００４６】
血流測定装置１０はたとえば刺激出力部２８０をさらに備え、刺激出力部２８０は、刺激信号出力部２２０から取得した刺激信号に基づき、香り成分の放出、音の出力、光の出力、吸熱、発熱、および振動の発生のうち少なくともいずれかの刺激を出力する。刺激出力部２８０はたとえば、香り発生装置、スピーカー、照明装置（ＬＥＤ、有機ＬＥＤ等）、アクチュエータ、ペルチェ素子、またはこれらの組み合わせである。刺激出力部２８０は、少なくとも一部が報知出力部１８０を兼ねても良い。刺激出力部２８０は上記した本体装置に内蔵されたものの他、血流測定装置１０と無線または有線で接続されたスピーカーやアロマ発生装置、照明装置、温調装置等の外部装置であり得る。
【００４７】
刺激出力部２８０は、刺激信号出力部２２０から取得された刺激信号に基づいて、たとえば音楽、朝を連想させる小鳥のさえずり、柑橘類の香り、朝日を連想させるオレンジ色の強い光、バイブレータによる振動、またはこれらの組み合わせ等を出力する。また、これらに加えて、またはこれらに代えて、さわやかな朝の目覚めを連想させるためにペルチェ素子によりユーザーの頭部を冷やす等、温度変換による刺激をユーザーに与えてもよい。こうすることにより、ユーザーは心地よい刺激を受け、想像力が高められて脳の血流量変化を促進させることができる。加えて、血流測定装置１０は、無線または有線による通信で、室内の照明、周囲温度、周囲湿度等の調整を行っても良い。
【００４８】
本実施例において、刺激信号出力部２２０は、たとえば複数の刺激信号を順に出力する。そして、血流量取得部１２０は、複数の刺激信号のそれぞれが出力されている間に、血流量を取得する。刺激出力部２８０は複数の刺激信号に基づき、それぞれ異なる出力を行う。刺激信号出力部２２０から取得された刺激信号に基づいて、刺激出力部２８０からは異なる音楽、小鳥のさえずり、香り等が順に出力される。各刺激信号が出力されている間に取得された血流量は、刺激信号の出力別に記憶部１３０に保持される。また、刺激信号は、取得された血流量が多い順に順位付けられ、その順位付けを示すデータが記憶部１３０に保持される。
【００４９】
本実施例に係る血流測定装置１０は、検知部２４０、および起床予定時刻取得部２６１をさらに備える。検知部２４０は、ユーザーの起床を検知する。起床予定時刻取得部２６１は、起床予定の時刻を取得する。当該時刻を過ぎてもユーザーが起床したことを確認できない場合、刺激信号出力部２２０は、記憶部１３０に記憶されているデータに基づいて、その就寝前に最も大きな血流量が取得された刺激信号を出力する。そうすることにより、その刺激信号に応じた刺激が刺激出力部２８０から出力され、万が一、起床予定時刻までに目覚めなかった場合にも、ユーザーに快適な目覚めを促すことができる。なお、このとき、刺激として光が出力される場合、その光は目を閉じていても感じられ、ユーザーに認識される程度の強い光である。
【００５０】
本実施例の検知部２４０は実施例１と同様である。
【００５１】
起床予定時刻取得部２６１は、たとえば、就寝前のユーザーが入力した起床予定時刻を示す情報を取得することができる。なお、ユーザーは毎日時刻条件を入力することもできるし、一度入力した時刻条件を繰り返し用いることもできる。
【００５２】
図９は、本実施例に係る血流測定装置１０の動作を示すフローチャートである。
【００５３】
血流量取得部１２０は、刺激信号出力部２２０から刺激信号が出力され、刺激出力部２８０から刺激信号に基づく刺激が出力されている間に、ユーザーの血流量を取得する（血流量取得工程Ｓ１２）。血流量判定部１４０は、実施形態と同様に、血流量が基準を満たすか否かを判定する（血流量判定工程Ｓ１４）。血流量判定部１４０において、基準を満たさないと判定された場合には（血流量判定工程Ｓ１４のＮｏ）、再度、血流量取得工程Ｓ１２および血流量判定工程Ｓ１４を行う。ここで、一定時間毎にまたはユーザーの操作に基づいて、刺激信号出力部２２０は、異なる刺激信号を順次出力する。そのことにより、刺激出力部２８０からは、異なる刺激が順次出力される。そして、基準を満たすと判定された場合には（血流量判定工程Ｓ１４のＹｅｓ）、実施形態と同様に、ユーザーにその旨を報知する（報知工程Ｓ１６）。各刺激出力と、その出力に対する血流量との関係は、記憶部１３０に記憶される。
【００５４】
なお、異なる刺激信号とは、その刺激信号に基づき刺激出力部２８０から発生される１種以上の刺激（音、香り、光等）の内、少なくとも１つの刺激の有無、内容、または強度等が異なるような信号を示す。また、血流量取得工程Ｓ１２と血流量判定工程Ｓ１４との関係については、各血流量取得工程Ｓ１２で１つの刺激信号を出力し、その都度、血流量判定工程Ｓ１４を行っても良いし、一度の血流量取得工程Ｓ１２において複数の異なる刺激信号を順次出力し、血流量判定工程Ｓ１４で、それらについての判定をまとめて行っても良い。もしくは、複数回の血流量取得工程Ｓ１２を通じて１つの刺激信号を出力してもよい。すなわち、１つの刺激信号出力をしている間に、複数回の血流量判定工程Ｓ１４を行っても良い。
【００５５】
制御部３４０は、現在時刻をモニタし、起床予定時刻取得部２６１から取得した、起床予定時刻に基づいて、起床予定時刻を過ぎたか否かを判定する（ステップＳ４２）。なお、制御部３４０は就寝してから一定時間は時刻のモニタを行わず、起床予定時間が近づいた場合にモニタを開始するようにしても良い。起床予定を過ぎていない場合（ステップＳ４２のＮｏ）、制御部３４０はモニタを続け、起床予定時刻を過ぎた場合（ステップＳ４２のＹｅｓ）、それまでにユーザーが起床したか否かを検知部２４０からの情報に基づいて確認する（ステップＳ４４）。
【００５６】
起床予定時刻を過ぎてもユーザーが起床したことを確認できない場合（ステップＳ４４のＮｏ）、刺激信号出力部２２０は、記憶部１３０に記憶されているデータに基づいて、その就寝前に最も大きな血流量が取得された刺激信号を出力し（ステップＳ４６）、刺激出力部２８０からは、その刺激信号に基づいて刺激出力がされる。そして、ユーザーが起床したか否かが再度確認される（ステップＳ４４）。ここで、ユーザーの起床が確認されるまでの間、刺激信号出力部２２０は就寝前に大きな血流量が取得された順に刺激信号を特定の時間ずつ出力するようにしても良い。また、より複合的な刺激を出力するよう、複数の刺激信号を同時に出力しても良い。起床予定時刻までにユーザーが起床したことを確認できた場合、または、刺激発生によってユーザーが起床したことを確認できた場合（ステップＳ４４のＹｅｓ）、血流測定装置１０は動作を終了する。
【００５７】
本実施例の血流測定装置１０では、起床予定時刻を過ぎてもユーザーが起床したことを確認できない場合、刺激信号出力部２２０が刺激信号を出力することにより、ユーザーに起床を促すことができる。
【００５８】
なお、血流量取得部１２０は、刺激信号出力部２２０から刺激信号が出力されている間、常に就寝前の血流量を取得している必要は無く、刺激信号が出力されている間の少なくとも一部の時間において、血流量を取得すればよい。
【００５９】
また、刺激信号出力部２２０は、刺激信号を出力している間に、画像または映像をさらに出力させるための付加刺激信号を出力してもよい。付加刺激信号に基づいて画像または映像を出力する刺激出力部２８０は、たとえば血流測定装置１０に設けられたディスプレイである。映像は、たとえば朝の風景、時計日の出、自然の風景、遠足等のイベントの情景等であり得、刺激信号に基づいて出力される香り、音、光、発熱、吸熱、振動等と関連する内容であり得る。その場合、付加刺激信号は就寝前にのみ出力され、起床を促す際には刺激信号に基づく刺激出力のみが行われればよい。ユーザーは、香り、音、強い光、発熱、吸熱、および振動のうち少なくともいずれかの刺激により、就寝前に見た付加刺激信号に基づく画像または映像を想起させられ、脳活動の活発化が促されて自然な目覚めに導かれる。
【００６０】
また、特定の刺激によってユーザーが快適に目覚めた場合、就寝前のその刺激に対する血流量に基づき基準を補正してもよいし、その刺激に係る刺激信号を、刺激信号出力部２２０が優先的に出力するようにしてもよい。
【００６１】
また、刺激信号出力部２２０は１種類の刺激出力のみを継続して行われるよう刺激信号を出力し、その間に取得された最大の血流量に基づき基準が補正されても良い。
【００６２】
また、たとえばユーザーがセンサ端末を装着したまま就寝し、就寝中の脳の血流量を測定可能な状態とする場合には、起床予定時刻の特定の時間前までに脳の血流量に変化を生じない場合に、刺激信号出力部２２０が刺激信号を出力するようにしても良い。
【００６３】
また、起床予定時刻から特定の時間前の時点で、ユーザーが起床したことを確認できていない場合に、刺激信号出力部２２０が刺激信号を出力するようにしても良い。
【００６４】
また、刺激信号出力部２２０は、就寝前はさわやかな朝の目覚めを連想させるために心地よい刺激を発生させる刺激信号を出力し、起床を促す際には、就寝前の刺激に対応する刺激であって、就寝前よりも強めの刺激を発生させる刺激信号を出力して、目覚めをサポートするようにしても良い。
【００６５】
以上、本実施例によれば、刺激信号出力部２２０は、就寝前の血流量を取得する際、香り成分の放出、音の出力、光の出力、吸熱、発熱、および振動の発生のうち少なくともいずれかを行わせるための刺激信号を出力する。これにより、ユーザーは血流量の基準を満たしやすくなり、スムーズな就寝が可能となる。
【００６６】
（実施例４）
図１０は、実施例４に係る血流測定装置１０の使用方法を、その使用環境とともに示す図である。本実施例において、複数の血流測定装置１０は、通信網４０を介して同一の情報処理装置５０に接続している。複数の血流測定装置１０は、互いに異なるユーザーに使用されている、そして、血流測定装置１０の使用結果が情報処理装置５０に送信される。
【００６７】
情報処理装置５０は、送信されたデータを用いて統計データを生成する、この統計データは通信網４０を介して血流測定装置１０に送信される。
【００６８】
図１１は、本実施例において、血流測定装置１０が表示する画面の一例を示す図である。上記したように、血流測定装置１０は、情報処理装置５０から統計データを受信する。血流測定装置１０は、この統計データを、血流測定装置１０のユーザーの使用結果と共に表示する。本図に示す例では、統計データは、就寝時の血流量と、起床予定時刻と実際の起床時刻との差の相関を示している。血流測定装置１０のユーザーは、この表示を見ることにより、他の人と比較して、自分がどの位置にいるかを容易に把握することができる。
【００６９】
ユーザーは、血流測定装置１０の使用を繰り返すことで体内タイマーのコントロール能力がトレーニングされ、意識付けの能力が高まり希望の時刻に起床しやすくなると考えられる。ここで、他のユーザーと使用結果を共有することで、血流測定装置１０の使用を続けるモチベーションが高まる。また、同じ興味を持つ他のユーザーとの一体感も得られ、有効な目覚ましの方法や血流測定装置１０の使用方法について情報交換をすることもできる。さらに、自分の使用結果が複数のユーザーの傾向から逸脱した場合には、睡眠障害であることが予測され、血流測定装置１０はその旨の表示をすることもできる。
【００７０】
以上、本実施例によれば、血流測定装置１０が複数のユーザーの統計データを表示することにより、ユーザーは、他の人と比較して自分がどの位置にいるかを容易に把握することができる。
【００７１】
（実施例５）
図１２は、実施例５に係る血流測定装置１０の構成を示す図である。本実施例において、血流量取得部１２０と、記憶部１３０、血流量判定部１４０、報知部１６０および報知出力部１８０を備える本体端末１００とは、無線で接続されている。
【００７２】
図１３は、本実施例における本体端末１００を示す図である。本実施例において、本体端末１００は、携帯電話またはスマートフォンであり、筐体１７１を有している。筐体１７１の表面には、表示部１７２、操作部１７８、ＬＥＤ１７４、およびスピーカー１７６が設けられている。表示部１７２、ＬＥＤ１７４、およびスピーカー１７６は報知出力部１８０として機能し得る。また、表示部１７２、ＬＥＤ１７４、およびスピーカー１７６は刺激出力部２８０として機能してもよい。また、ユーザーは、操作部１７８により、起床予定時刻等の入力等をすることができる。なお、表示部１７２がタッチパネルディスプレイである場合、表示部１７２が操作部としてさらに機能してもよい。
【００７３】
図１４は、本実施例におけるセンサ端末６０を示す図である。センサ端末６０は、ベルト６４および測定部６２を備え、測定部６２は血流量取得部１２０を含む。センサ端末６０はベルト６４によって、測定部６２がたとえばユーザーの額に接触するように固定される。その接触部分において、ユーザーの脳の血流量が取得される。たとえば本体端末１００から受信した制御信号に基づいてセンサ端末６０で血流量が取得され、取得された血流量は本体端末１００に送信される。なお、測定部６２は検知部２４０として加速度センサをさらに備え、センサ端末６０を装着して就寝したユーザーの起床をさらに検知するようにしてもよい。また、血流量取得部１２０のうち、一部の演算部分は本体端末１００に含まれていても良い。また、測定部６２には、ペルチェ素子が内蔵され、ユーザーの頭部を冷やしたり、暖めたりできるようにしてもよい。
【００７４】
以上、図面を参照して実施形態及び実施例について述べたが、これらは本発明の例示であり、上記以外の様々な構成を採用することもできる。
【符号の説明】
【００７５】
１０ 血流測定装置
１００ 本体端末
１２０ 血流量取得部
１２２ 発光部
１２４ 受光部
１２６ 発光制御部
１２８ 算出部
１３０ 記憶部
１４０ 血流量判定部
１６０ 報知部
１７１ 筐体
１７２ 表示部
１７４ ＬＥＤ
１７６ スピーカー
１７８ 操作部
１８０ 報知出力部
２２０ 刺激信号出力部
２４０ 検知部
２６０ 時刻条件取得部
２６１ 起床予定時刻取得部
２８０ 刺激出力部
３０ 血管
３２ 表皮
３２０ 起床判定部
３４０ 制御部
４０ 通信網
５０ 情報処理装置
６０ センサ端末
６２ 測定部
６４ ベルト
【図１】
2017047099.tif 000003
【図２】
2017047099.tif 000004
【図３】
2017047099.tif 000005
【図４】
2017047099.tif 000006
【図５】
2017047099.tif 000007
【図６】
2017047099.tif 000008
【図７】
2017047099.tif 000009
【図８】
2017047099.tif 000010
【図９】
2017047099.tif 000011
【図１０】
2017047099.tif 000012
【図１１】
2017047099.tif 000013
【図１２】
2017047099.tif 000014
【図１３】
2017047099.tif 000015
【図１４】
2017047099.tif 000016